(57)【要約】【課題】従来の電子部品実装論理基板の管理方法は、シールを張る、スタンプを押すなど、視覚的に管理する方法を実施している。そこで、視覚的管理情報と共に、電気的管理情報を持たせるための実現方法が課題となっている。【解決手段】基板上に実装可能なスイッチ装置であって、スイッチのON/OFF設定を行う操作面２００ｂと、操作面２００ｂに設けられたスイッチつまみ部２００ａと、基板１１０側に接続するための端子２００ｅとを備え、操作面２００ｂを基板１１０に向けて実装するように構成している。【選択図】  図３
2005216697.tif 000002
【特許請求の範囲】
【請求項１】
基板上に実装可能なスイッチ装置であって、スイッチのON/OFF設定を行う操作面と、前記操作面に設けられたスイッチつまみ部と、前記基板側に接続するための端子とを備え、前記操作面を前記基板に向けて実装するように構成したことを特徴とする集合スイッチ装置。
【請求項２】
基板と、操作つまみ部を有する操作面を有し前記操作面を前記基板に向けて前記基板に実装された集合スイッチ装置と、前記集合スイッチの端子と接続されて前記集合スイッチに電圧を印加する電圧供給回路と、前記集合スイッチの前記端子に接続されて前記集合スイッチの設定状態に応じた電気的電圧レベルを読み取る読み取り装置とを備えた電子部品実装論理基板管理装置。
【請求項３】
基板は、集合スイッチ装置の操作つまみ部のスイッチ設定状態を目視判別可能な孔部若しくは透過可能部を有する請求項2記載の電子部品実装論理基板管理装置。
【請求項４】
基板は、集合スイッチ装置の操作つまみ部のスイッチ設定状態を変更可能な孔部を有する請求項２記載の電子部品実装論理基板管理装置。
【請求項５】
スイッチ設定確認用の穴を有する基板上に実装可能なスイッチ装置であり、スイッチのON/OFF設定を行う操作面と、前記操作面から突出して前記穴に挿入可能なスイッチつまみ部と、前記基板側に接続するための端子とを備え、前記操作面を前記基板に向けて実装するように構成したことを特徴とする集合スイッチ装置。
【請求項６】
スイッチ設定状態を目視判別可能な孔部を有する基板と、操作つまみ部が前記孔部に挿入するように前記操作つまみ部が突出した操作面を有し前記操作面を前記基板に向けて前記基板に実装された集合スイッチ装置と、前記基板に実装され前記集合スイッチの端子と接続されて前記集合スイッチに電圧を印加する電圧供給回路と、前記集合スイッチの前記端子に接続されて前記集合スイッチの設定状態に応じた電気的電圧レベルを読み取る読み取り装置とを備えた電子部品実装論理基板管理装置。
【請求項７】
操作面の反対側にスイッチ設定状態を表示する窓を有する請求項１記載の集合スイッチ装置。
【請求項８】
基板と、操作つまみ部を有する操作面を前記基板に向けて前記基板に実装された集合スイッチ装置と、前記基板に実装され前記集合スイッチの端子と接続されて前記集合スイッチに電圧を印加する電圧供給回路と、前記集合スイッチの前記端子に接続されて前記集合スイッチの設定状態に応じた電気的電圧レベルを読み取る読み取り装置とを備え、前記集合スイッチ装置は操作面の反対側にスイッチ設定状態を表示する窓を有する電子部品実装論理基板管理装置。
【請求項９】
基板と、操作つまみ部を有する操作面を前記基板に向けて前記基板に実装された集合スイッチ装置と、前記基板に実装され前記集合スイッチの端子と接続されて前記集合スイッチに電圧を印加する電圧供給回路と、前記集合スイッチの前記端子に接続されて前記集合スイッチの設定状態に応じた電気的電圧レベルを読み取る読み取り装置とを備え、前記集合スイッチ装置は操作面の反対側にスイッチ設定状態を表示する窓を有し、前記基板は前記操作つまみ部を操作して前記スイッチ設定状態を変更可能な孔部を有する電子部品実装論理基板管理装置。
【発明の詳細な説明】
【技術分野】
【０００１】
本発明は、集合スイッチ装置および電子部品実装論理基板管理装置に関するものである。
【背景技術】
【０００２】
従来の電子部品実装論理基板の管理方法は、シリアル番号、あるいはバージョン管理等を示すために、シールを張る、スタンプを押すなど、視覚的に管理する方法を実施している。また、電子部品実装論理基板に電気的管理情報を持たせることによって、電子部品実装論理基板の管理を行う方法が既に発明されているが、製造工程の管理を目的としたものであり、最終的に全て同じ電気的管理情報を持つ電子部品実装論理基板の製作を目指したものである。そのため電気的管理情報の任意な変更手段や、ユーザの手元に渡ってからの電気的管理情報の有効な利用方法については一切考慮がされていない（例えば、特許文献１参照）。
【特許文献１】特開平７−３２８８９８号公報（第２−４頁、第１図）
【発明の開示】
【発明が解決しようとする課題】
【０００３】
従来のように視覚的に管理する方法では、管理シールの剥離、管理スタンプの消滅等が起きる可能性がある。また、ユーザの手元に渡った電子部品実装論理基板、および電子部品実装論理基板を内蔵した商品における管理情報の確認を行う場合にユーザに確認の手間が発生する可能性がある。
【０００４】
そこで、確実に視覚的管理情報を付与する方法、あるいは電気的管理情報を付与する方法が課題となるが、特許文献１においては、電気的管理情報の任意な変更手段を備えていない点に問題があった。
【０００５】
したがって、この発明の目的は、視覚的管理情報とともに電気的管理情報を付与することができ、管理情報の変更が容易な集合スイッチ装置および電子部品実装論理基板管理装置を提供することである。
【課題を解決するための手段】
【０００６】
請求項１記載の集合スイッチは、基板上に実装可能なスイッチ装置であり、スイッチのON/OFF設定を行う操作面と、操作面に設けられたスイッチつまみ部と、基板側に接続するための端子とを備え、操作面を基板に向けて実装するように構成したことを特徴とするものである。
【０００７】
請求項１記載の集合スイッチによれば、例えば特許文献１において、電気的管理情報の任意な変更手段を備える手段として、電気的管理情報決定部の構成を本発明の集合スイッチに置き換える。その結果、電気的管理情報の任意な変更が可能となる。また視覚的管理情報についても、確実な付与が可能となると共に、用いる集合スイッチによっては、視覚的管理情報の表示、非表示の選択が可能となる。とくに視覚的管理情報を伏せながら、電気的管理情報を付与することが可能となり、また電気的管理情報の故意な変更を防止することが可能である。つまり、ユーザに対しシークレットな管理情報を付与したい場合などに有効な構成である。
【０００８】
請求項２記載の電子部品実装論理基板管理装置は、基板と、操作つまみ部を有する操作面を有し操作面を基板に向けて基板に実装された集合スイッチ装置と、集合スイッチの端子と接続されて集合スイッチに電圧を印加する電圧供給回路と、集合スイッチの端子に接続されて集合スイッチの設定状態に応じた電気的電圧レベルを読み取る読み取り装置とを備えたものである。
【０００９】
請求項２記載の電子部品実装論理基板管理装置によれば、基板毎に任意な電気的管理情報を付与することが可能であり、かつ電気的管理情報の変更、更新を容易に行うことが可能となる。また視覚的管理情報についても、確実な付与が可能になると共に、用途によって表示、非表示の選択が可能となる。結果的に、工程管理、個体管理に優れた効果を発揮し、特にネットワーク接続環境における個体管理において、各ユーザ所有の各商品に適した様々なサービスを提供することが可能となる。
【００１０】
請求項３記載の電子部品実装論理基板管理装置は、請求項２において、基板が、集合スイッチ装置の操作つまみ部のスイッチ設定状態を目視判別可能な孔部若しくは透過可能部を有するものである。
【００１１】
請求項３記載の電子部品実装論理基板管理装置によれば、請求項２と同様な効果のほか、視覚的管理情報と電気的管理情報がともに付与可能となる。
【００１２】
請求項４記載の電子部品実装論理基板管理装置は、請求項２において、基板が、集合スイッチ装置の操作つまみ部のスイッチ設定状態を変更可能な孔部を有するものである。
【００１３】
請求項４記載の電子部品実装論理基板管理装置によれば、請求項３と同様な効果のほか、基板実装後の管理情報の変更が可能であり、管理情報の更新が発生する場合に有効である。
【００１４】
請求項５記載の集合スイッチは、スイッチ設定確認用の穴を有する基板上に実装可能なスイッチ装置であり、スイッチのON/OFF設定を行う操作面と、操作面から突出して穴に挿入可能なスイッチつまみ部と、基板側に接続するための端子とを備え、操作面を基板に向けて実装するように構成したことを特徴とするものである。
【００１５】
請求項５記載の集合スイッチによれば、請求項１と同様な効果のほか、視覚的管理情報を確実に付与でき、かつスイッチつまみ部が穴に嵌合しているため管理情報の故意な変更を完全に防止することが可能である。
【００１６】
請求項６記載の電子部品実装論理基板管理装置は、スイッチ設定状態を目視判別可能な孔部を有する基板と、操作つまみ部が孔部に挿入するように操作つまみ部が突出した操作面を有し操作面を基板に向けて基板に実装された集合スイッチ装置と、基板に実装され集合スイッチの端子と接続されて集合スイッチに電圧を印加する電圧供給回路と、集合スイッチの端子に接続されて集合スイッチの設定状態に応じた電気的電圧レベルを読み取る読み取り装置とを備えたものである。
【００１７】
請求項６記載の電子部品実装論理基板管理装置によれば、請求項２および請求項５と同様な効果がある。
【００１８】
請求項７記載の集合スイッチ装置は、請求項１において、操作面の反対側にスイッチ設定状態を表示する窓を有するものである。
【００１９】
請求項７記載の集合スイッチ装置によれば、視覚的管理情報が得られるほか、請求項１と同様な効果がある。
【００２０】
請求項８記載の電子部品実装論理基板管理装置は、基板と、操作つまみ部を有する操作面を基板に向けて基板に実装された集合スイッチ装置と、基板に実装され集合スイッチの端子と接続されて集合スイッチに電圧を印加する電圧供給回路と、集合スイッチの端子に接続されて集合スイッチの設定状態に応じた電気的電圧レベルを読み取る読み取り装置とを備え、集合スイッチ装置は操作面の反対側にスイッチ設定状態を表示する窓を有するものである。
【００２１】
請求項８記載の電子部品実装論理基板管理装置によれば、視覚的管理情報が得られるほか、請求項２と同様な効果がある。
【００２２】
請求項９記載の電子部品実装論理基板管理装置は、基板と、操作つまみ部を有する操作面を基板に向けて基板に実装された集合スイッチ装置と、基板に実装され集合スイッチの端子と接続されて集合スイッチに電圧を印加する電圧供給回路と、集合スイッチの端子に接続されて集合スイッチの設定状態に応じた電気的電圧レベルを読み取る読み取り装置とを備え、集合スイッチ装置は操作面の反対側にスイッチ設定状態を表示する窓を有し、基板は操作つまみ部を操作してスイッチ設定状態を変更可能な孔部を有するものである。
【００２３】
請求項９記載の電子部品実装論理基板管理装置によれば、請求項８と同様な効果のほか、基板実装後の管理情報の変更が可能であり、管理情報の更新が発生する場合に有効である。
【発明の効果】
【００２４】
請求項１記載の集合スイッチによれば、例えば特許文献１において、電気的管理情報の任意な変更手段を備える手段として、電気的管理情報決定部の構成を本発明の集合スイッチに置き換える。その結果、電気的管理情報の任意な変更が可能となる。また視覚的管理情報についても、確実な付与が可能となると共に、用いる集合スイッチによっては、視覚的管理情報の表示、非表示の選択が可能となる。とくに視覚的管理情報を伏せながら、電気的管理情報を付与することが可能となり、また電気的管理情報の故意な変更を防止することが可能である。つまり、ユーザに対しシークレットな管理情報を付与したい場合などに有効な構成である。
【００２５】
請求項２記載の電子部品実装論理基板管理装置によれば、基板毎に任意な電気的管理情報を付与することが可能であり、かつ電気的管理情報の変更、更新を容易に行うことが可能となる。また視覚的管理情報についても、確実な付与が可能になると共に、用途によって表示、非表示の選択が可能となる。結果的に、工程管理、個体管理に優れた効果を発揮し、特にネットワーク接続環境における個体管理において、各ユーザ所有の各商品に適した様々なサービスを提供することが可能となる。
【００２６】
請求項３記載の電子部品実装論理基板管理装置によれば、請求項２と同様な効果のほか、視覚的管理情報と電気的管理情報がともに付与可能となる。
【００２７】
請求項４記載の電子部品実装論理基板管理装置によれば、請求項３と同様な効果のほか、基板実装後の管理情報の変更が可能であり、管理情報の更新が発生する場合に有効である。
【００２８】
請求項５記載の集合スイッチによれば、請求項１と同様な効果のほか、視覚的管理情報を確実に付与でき、かつスイッチつまみ部が穴に嵌合しているため管理情報の故意な変更を完全に防止することが可能である。
【００２９】
請求項６記載の電子部品実装論理基板管理装置によれば、請求項２および請求項５と同様な効果がある。
【００３０】
請求項７記載の集合スイッチ装置によれば、視覚的管理情報が得られるほか、請求項１と同様な効果がある。
【００３１】
請求項８記載の電子部品実装論理基板管理装置によれば、視覚的管理情報が得られるほか、請求項２と同様な効果がある。
【００３２】
請求項９記載の電子部品実装論理基板管理装置によれば、請求項８と同様な効果のほか、基板実装後の管理情報の変更が可能であり、管理情報の更新が発生する場合に有効である。
【発明を実施するための最良の形態】
【００３３】
以下、本発明の実施の形態について、添付の図面を参照しながら、詳細に説明する。
【００３４】
まず、図１には本発明の第１の実施の形態になる電子部品実装論理基板１００が示されており、この図において、回路基板１１０の表面には、複数の電子部品１２１〜１２４等が実装されている。また、回路基板１１０の表面、あるいは裏面の一部、本実施の形態では図の左下側の角の近くには、本発明の管理情報決定部１３０として集合スイッチ２００が配置されている。集合スイッチ２００は、本実施の形態では４ビット品を使用しているが、その数は必ずしもこれのみに限られることはなく、一般的に、nビット品の集合スイッチを用いたり、あるいは複数の集合スイッチを組み合わせて用いたりすることで、任意のビット数を備えることが可能となり、ビット数の組み合わせにより、電子部品実装論理基板１００のシリアル番号、あるいはバージョン管理等の情報を決定するものである。
【００３５】
そして、本発明によれば、この集合スイッチ２００の実装されている回路基板１１０には、ビットに対応した数だけ、例えば印刷配線によって、電気配線１４１〜１４４が形成されており、集合スイッチ２００の各ビットへ電気的に接続されている。さらに、これら印刷電気配線１４１〜１４４は、やはり、回路基板１１０に実装された読み込み装置（入力装置）１５０へ電気的に接続されている。
【００３６】
続いて、図２には、本発明の電子部品実装論理基板１００の、特に集合スイッチ２００の実装されている部分、回路基板１１０に配設された印刷電気配線１４１〜１４４の電気的な回路が示されている。図からも明らかなように、集合スイッチ２００は配線２００ｃと配線２００ｃの接続を切り換えるスイッチ２００ｄを示し、各端子の一方はアースされ、他方は抵抗Ｒ１〜Ｒ４を介して電源ＶＣＣに接続されている。４本の印刷電気配線１４１〜１４４は集合スイッチ２００の電圧レベルを伝えるものであり、集合スイッチ２００の設定が全てONの状態であれば、全て接地された状態となっており、すなわち読み取り装置（入力装置）１５０の４つの入力には、電気的な電圧は表れない（全て「Low」レベルとなる）。逆に、集合スイッチ２００のスイッチ設定が全てOFFの状態であれば、全て電源（Vcc）の電圧が表れる（すなわち、「High」レベルとなる）。そこで、集合スイッチ２００に任意のビット設定を行うことにより、任意の電気的情報を付与することが可能である。
【００３７】
このようにして、読み取り装置（入力装置）１５０に入力される４つの電気配線には、「High」レベルと「Low」レベルの信号の組み合わせが表れることとなり、読み取り装置（入力装置）１５０は、電圧レベルを読み込み、これらの入力される４つの信号レベルの組み合わせを判断することによって、自動的に電気的管理情報を認識し識別確認をすることが可能となる。なお、電気的管理情報の識別確認は、例えば電子部品実装論理基板１００内に実装された中央演算処理装置１７０によってプログラム上で、あるいは、外部に設けた管理装置によって行うことも可能である。
【００３８】
次に、図３には、本発明の集合スイッチ２００が示されている。下面図（A）および（B）は、集合スイッチ２００のON/OFF設定を行う操作面２００ｂを示しており、操作面２００ｂの操作つまみ部２００ａは操作面２００ｂに平行なスライド式である。操作面２００ｂは凹面もしくは平面形状である。スイッチつまみ部２００ａは操作面２００ｂを超えない高さである。また本発明の集合スイッチ２００を基板１１０に実装した際には、操作面２００ｂは、側面図（C）、（D）から見てもわかるように、基板１１０側に向いた配置となる。この場合、集合スイッチ２００のボディの両側から突出した端子２００ｅが基板１１０に接続される。
【００３９】
また、図４は、集合スイッチ２００を回路基板１１０に実装した様子を示し、（ａ）は回路基板１１０の集合スイッチ２００と反対側からみた状態を示す。本構成では、視覚的管理情報を伏せながら、電気的管理情報を付与することが可能となり、また、電気的管理情報の故意な変更を防止することが可能である。つまり、ユーザに対しシークレットな管理情報を付与したい場合などに有効な構成である。
【００４０】
次に、図５は、第２の実施の形態を示す。これは、第１の実施の形態において、集合スイッチ２００を、スイッチ設定確認用の孔部もしくは透過可能部例えば穴１１３を設けた回路基板１１１に実装した様子を示す。穴１１３は各スイッチつまみ部２００ａのオン位置とオフ位置に対応してそれぞれ形成されており、操作つまみ部２００ａがオン位置かオフ位置かがわかるようになっている。本構成では、視覚的管理情報と共に、電気的管理情報も付与可能となり、また、管理情報の故意な変更を防止することができる。つまり、ユーザあるいは製造工程において、電気的管理情報に加え視覚的管理情報も確保したい場合に有効である。
【００４１】
次に、図６は、第３の実施の形態を示す。これは、第１の実施の形態において、集合スイッチ２００を、スイッチ設定状態を変更可能な孔部例えば穴１１４を設けた回路基板１１１に実装した様子を示す。穴１１４は全スイッチつまみ部２００ａがみえる大きさに１つ形成されている。本構成では、視覚的管理情報と共に、電気的管理情報も付与可能となり、また、管理情報の変更を許したものである。つまり、ユーザあるいは製造工程において、管理情報の更新が発生する場合に有効である。
【００４２】
次に、図７は、第４の実施の形態を示す。これは、第２の実施の形態において、集合スイッチ２００を、スイッチ設定確認用の穴１１３を設けた回路基板１１１に実装した様子を示す。本発明によると、集合スイッチ２００は、スイッチつまみ部２００ａに、操作面２００ｂから5〜10mm程度の高さを設けたものであり、スイッチつまみ部２００ａが、スイッチ設定確認用の穴１１３に挿入されることで、スイッチ２００を完全にロックする機構を設けることが可能である。本構成では、視覚的管理情報と共に、電気的管理情報も付与可能となり、また、管理情報の故意な変更を完全に防止することができる。
【００４３】
次に、図８は第５の実施の形態の集合スイッチ２００の下面図（ａ）、上面図（ｂ）を示す。本発明によると、集合スイッチ２００は、第１の実施の形態の集合スイッチ２００において、操作面２００ｂの反対側の面２００ｆに、スイッチ設定状態を表示する窓２００ｇを設け、窓２００ｇを通してスイッチつまみ部２００ａの一部またはその連動部が見えるようにしたものである。この集合スイッチ２００を、本発明の電子部品実装論理基板管理装置に用いた場合、回路基板１１０に穴空け加工することなく、視覚的管理情報と共に、電気的管理情報を付与することが可能となる。つまり、ユーザあるいは製造工程において電気的管理情報に加え、視覚的管理情報も確保したい場合に有効である。
【００４４】
この実施の形態の変形形態として、集合スイッチ２００を図６の基板１１１に適用でき、また図７に示すようにスイッチつまみ部２００ａが突出した構成とし、図7に示す回路基板１１１に適用することができる。
【００４５】
なお、集合スイッチ２００は、一般的に、視覚的管理情報を付与可能な構成において、スイッチ設定状態を確実に判別可能とするため、スイッチつまみ部２００ａに着色を行うことで、より効果を発揮できる。
【００４６】
また、集合スイッチ２００は、電子部品実装論理基板の表面でも裏面でも適用は可能であるが、一般的に、視覚的管理情報を付与可能な構成において、視覚的管理情報が、電子部品実装論理基板の表面で得られるように配置するのが効果的である。
【００４７】
このように、本発明の上記実施の形態になる電子部品実装論理基板１００によれば、論理装置における一種の入力装置１５０として情報決定部１３０に、本発明の集合スイッチ２００を適用することで、集合スイッチ２００で決定された電気的管理情報を、論理情報の一つとして直接プログラムに読み込んで利用することが可能となる。これにより、例えばネットワーク接続環境にある、各ユーザ所有の各商品に対し、適切なダウンロードサービスを行えるなどの効果が得られるようになる。
【産業上の利用可能性】
【００４８】
本発明の集合スイッチ装置および電子部品実装論理基板管理装置は、視覚的管理情報とともに電気的管理情報を付与することができ、管理情報の変更が容易である等の効果があり、集合スイッチ装置および電子部品実装論理基板管理装置等として有用である。
【図面の簡単な説明】
【００４９】
【図１】本発明の第１の実施の形態である電子部品実装論理基板の全体構成図を示す。
【図２】電子部品実装論理基板の情報決定部の電気回路図を示す。
【図３】本発明の集合スイッチを示し、（ａ）は端子を縦に並べた平面図、（ｂ）は端子を横に並べた平面図、（ｃ）は（ａ）の側面図、（ｄ）は（ｂ）の側面図である。
【図４】視覚的管理情報を伏せた場合の情報決定部構成図を示し、（ａ）は回路基板の集合スイッチと反対側からみた平面図、（ｂ）はその側面図である。
【図５】第２の実施の形態を示し、視覚的管理情報を確保した場合の情報決定部構成図として、（ａ）は基板側からみた平面図、（ｂ）はその側面図である。
【図６】第３の実施の形態を示し、視覚的管理情報を確保した場合の情報決定部構成図として、（ａ）は基板側からみた平面図、（ｂ）はその側面図である。
【図７】第４の実施の形態を示し、視覚的管理情報を確保した場合の情報決定部構成図として、（ａ）は基板側からみた平面図、（ｂ）はその側面図である。
【図８】第５の実施の形態を示し、（ａ）は下面図、（ｂ）は上面図である。
【符号の説明】
【００５０】
１００  電子部品実装論理基板
１１０  回路基板
１１１  回路基板
１１３  穴
１１４  穴
１２１〜１２４  電子部品
１３０  管理情報決定部
１４１〜１４４  電気配線
１５０  読み取り装置
２００  集合スイッチ
２００ａ  スイッチつまみ部
２００ｂ  操作面
２００ｃ  配線
２００ｄ  スイッチ
２００ｅ  端子
２００ｆ  窓が配置された面（操作面の反対側の面）
２００ｇ  窓
【図１】
2005216697.tif 000003
【図２】
2005216697.tif 000004
【図３】
2005216697.tif 000005
【図４】
2005216697.tif 000006
【図５】
2005216697.tif 000007
【図６】
2005216697.tif 000008
【図７】
2005216697.tif 000009
【図８】
2005216697.tif 000010